(57)【特許請求の範囲】
【請求項１】
側断面が略矩形状で前方側表面が略平坦な本体部と、
該前方側表面上にその下端部から上方へ張り出た略平坦な前壁部と、
該前壁部と前記本体部の前方側表面との左右端部間に形成される略三角形の左右側壁部と、
前記本体部上下面のそれぞれに左右に所定距離隔てて２つずつその上下面で対になるように配設された係合凸部ないし係合凹部と、
前記本体部の中央部近傍に位置するとともに、その上面ならびに前方側表面に開口して形成される凹陥部とを有し、
前記本体部の前方側表面、前壁部及び左右側壁部とで形成される空間と、
前記凹陥部とで植栽用空間を形成し、
前記係合凸部ないし係合凹部は、ブロック設置後においてその前方側面７ａが略垂直で後方側面７ｂが後方へ傾斜してなることを特徴とする植栽用法面ブロック。
【請求項２】
前記係合凸部ないし係合凹部は、前記本体部の左右側端部から略１／４の位置に設けたことを特徴とする請求項１記載の植栽用法面ブロック。
【請求項３】
前記植栽用空間は、略同一深さの有底面を有していることを特徴とする請求項１または２記載の植栽用法面ブロック。
【請求項４】
前記左右の側壁部は、その外周が略円弧状であることを特徴とする請求項１ないし３のいずれか１項に記載の植栽用法面ブロック。
【請求項５】
前記植栽用空間に保水物質を設けたことを特徴とする請求項１ないし４のいずれか１項に記載の植栽用法面ブロック。
【請求項６】
前記凹陥部の上面開口部に蓋を設けたことを特徴とする請求項１ないし５のいずれか１項に記載の植栽用法面ブロック。
【発明の詳細な説明】
【０００１】
【発明が属する技術分野】
本願発明は、植栽用法面ブロックのうち、特に側断面が略矩形で、前方側表面が略平坦な本体部を有する植栽用法面ブロックに関する。
【０００２】
【従来の技術】
従来、斜面の崩落防止、河川の護岸等のために法面ブロックが使われている。この法面ブロックは、所期の目的のためには非常に有効であるが、植物の発生を妨げ、環境が単純化する等、環境保全及び自然保護の面からは必ずしも良いとはいえない。
【０００３】
そのため、法面ブロックに植栽機能を持たせた所謂植栽用法面ブロックとして、例えば特開平８−３０２７１５号のもの（以下、従来例１のブロックという）が提案されている。
【０００４】
このものは図９ないし図１１に示すように、該ブロック設置後の状態において、略水平な底壁３２及び略半円弧状で略垂直な前壁部３１をブロック本体部３０の前面より前方に大きく突き出して設けるとともに、該本体部３０に凹陥部３４を形成し、前記突き出た底壁３２及び前壁部３１とで形成される空間と、前記凹陥部３４とで植栽用空間３９を形成するとともに、ブロックの左右側壁部３３、３３の一方には上下方向に延びた凸条３５が、またその他方には同じく上下方向に延びた凹溝３６が形成され、更にそれら凸条３５と凹溝３６との上部には、半円弧状の係合凹部３７、３７が形成されるとともに、前記底壁３２の下面中央には外方に突出した１つの係合凸部３８が形成されている。
【０００５】
そしてブロックの施工時に該ブロックを左右方向に並べると隣同士のブロック側壁部３３、３３に形成される凸条３５と凹溝３６とが係合し、凸条３５と凹溝３６との上方に形成される半円弧状の係合凹部３７が合わさって１つの円状の係合凹部３７を形成する。
【０００６】
次いで、その上段のブロックを積み重ねる際、前記円状の係合凹部３７に前記底壁３２の下面中央に形成される係合凸部３８を嵌合して上下に１／２ずつずれた形態の植栽用法面ブロックを形成する。
【０００７】
しかしながら、前記従来例１のブロックは、次のような欠点を有している。  即ち、前記従来例１のブロックは、ブロック前方の植栽用空間３９を前方へ大きく突き出た略水平な底壁３２、及び略半円弧状で略垂直な前壁部３１とで形成しているため、その植栽用空間３９は大きくとれ、多くの植物を植栽でき環境保全及び自然保護の点からは申し分ないが、法面ブロック前面に突き出た底壁３２及び前壁部３１分だけブロックを製造するためのコンクリート量が増え、製造コストが高くなる。
【０００８】
前記従来例１のブロックは、ブロックの左右側壁部３３、３３の円状の係合凹部３７と底壁３２の下面中央の係合凸部３８とを上下段において１／２ずつずれた形態で嵌合させる係合手段を特徴の１つとしているため、施工時のすべてのブロックに植栽用のものを使用せざるを得ず、設置する全法面ブロックの一部だけを植栽用ブロックとしたい場合には対応できないとともに、同列に配置することもできず融通性に劣る。
【０００９】
ところで法面ブロックは、河川等の護岸用にも多く用いられているが、護岸用の法面ブロックは、河川の洪水に対処可能なものでなければならず、少なくとも水の流れを妨げたり、流木等が当たって壊れたり、あるいは流木等が引っ掛かり流れることが阻害されないようにその表面は、略平坦に形成されているのが普通である。
【００１０】
ところが河川の洪水は、あっても年に数度のことであり、ほとんどは、護岸用の法面ブロックがその表面のコンクリートを剥き出しにした無味乾燥の状態を呈しているのであり、やはり護岸用の法面ブロックといえども、植栽用法面ブロックの需要は根強いものがある。
【００１１】
そのためこのような護岸用の法面ブロックに、前記従来例１のブロックを採用した場合には、前記本体部３０の前方に大きく突き出た底壁３２及び前壁部３１とで植栽用空間３９を形成しているため、洪水時に水の流れが妨げられたり、流木等が当たり破壊したり、時には流木等が引っ掛かり更なる二次弊害を引き起こす可能性もあり、このような形態のものは護岸用としては使用し難い。
【００１２】
更に前記従来例１のブロックは、図１１の平面図からも明らかなようにブロック設置後において、前記植栽用空間３９の略全地表面が外部に直接露出することになるため、より多くのあるいはより大きな植物を植栽できる利点はあるものの、外部に直接露出している地表面が大きいということは、それだけ太陽の熱によって暖められる面積が大きく、それに応じて水分の蒸発量が多くなり、植栽用法面ブロックの水はそのほとんどを雨水に依存しており、日照りが続くとその分地中の水分が早く蒸発してしまうため植物にとって致命的になる。
【００１３】
また一方、例えば、図１２ないし図１４に示すような植栽用法面ブロック（以下、従来例２のブロックという）が考えられている。
【００１４】
即ち、従来例２のブロックは、本願発明の構成に対応させると、側断面が略矩形状で前方側表面４１が略平坦な本体部４０と、前方側表面４１上にその下端部から上方へ張り出た略平坦な前壁部４２と、この前壁部４２と前記本体部４０の前方側表面４１との左右端部間に形成される略三角形の左右側壁部４３，４３とを有し、本体部４０の前方側表面４１、前壁部４２及び左右側壁部４３，４３とで植栽用空間４４を形成するとともに、本体部４０の上下面４５，４６中央部にそれぞれ１つの係合凸部４７ないし係合凹部４８を形成した植栽用法面ブロックである。
【００１５】
そしてこのような植栽用法面ブロックでは、前記従来例１のブロックの欠点である前方へ突き出して形成することによるコスト高、施工時に全部の法面ブロックに植栽用を採用しなければならないとともに、同列に配置することもできない不都合、及び護岸用としての使いづらさについてはいずれの欠点もクリアーするものである。
【００１６】
しかしながら前記従来例２のブロックでは、本体部４０の上下面４５，４６中央部にそれぞれ１つの係合凸部４７ないし係合凹部４８を形成し、これら係合凸部４７ないし係合凹部４８からなる係合手段によりこれらブロック（すべて植栽用ブロックであっても、図１４に示すように一部が植栽用ブロックであっても良い。）を上下に積み上げることを特徴の１つとするものであるため、その本体部４０に前記従来例１のブロックのような植栽用空間としての凹陥部が形成されていないことは勿論、その箇所に凹陥部を形成することは全く考慮されないものである。
【００１７】
そもそも植物は、地表面には少なくとも茎、幹等が成長できるスペースがあれば良いが、地中では根が水分を吸収するための充分なスペースを必要とするものであり、植栽用のブロックとしての使用においてもその条件が満たされなくては、大きな或いは多くの植物を長期に亘って植栽することはできない。
【００１８】
このような観点から従来例２のブロックを見ると、植栽用としての空間４４は、本体部４０の前方側表面４１、前壁部４２及び左右側壁部４３，４３とで形成される頂点を下にした断面三角形状の空間のみであり、地表面積は問題ないものの地中の容積は充分とはいえず、またその形状も植物の根が下方に伸びる性質からいえば根は下側に位置する三角形の頂点部に集中し、根ぐされ等を引き起こしたり、充分な水分等の吸収ができない等の弊害を引き起こす結果になり、好ましいとはいえない。即ち、従来例２のブロックは、植栽用空間の量ならびに形状とも充分ではないという大きな欠点を有している。
【００１９】
【発明が解決しようとする課題】
本願発明は、上記した従来技術のものがそれぞれ有していた問題点を同時に解決すること、即ち、水分の蒸発量を低減するとともに、充分な植栽空間を確保でき、配置の互換性を有し、更には護岸用ブロックとしても適した植栽用法面ブロックを提供することを目的とする。
【００２０】
【課題を解決するための手段】
上記目的を達成するため、本願発明は以下の構成を採用する。
【００２１】
請求項１に係る発明では、側断面が略矩形状で前方側表面が略平坦な本体部と、該前方側表面上にその下端部から上方へ張り出た略平坦な前壁部と、該前壁部と前記本体部の前方側表面との左右端部間に形成される略三角形の左右側壁部と、前記本体部上下面のそれぞれに左右に所定距離隔てて２つずつその上下面で対になるように配設された係合凸部ないし係合凹部と、前記本体部の中央部近傍に位置するとともに、その上面ならびに前方側表面に開口して形成される凹陥部とを有し、前記本体部の前方側表面、前壁部及び左右側壁部とで形成される空間と、前記凹陥部とで植栽用空間を形成し、前記係合凸部ないし係合凹部は、ブロック設置後においてその前方側面７ａが略垂直で後方側面７ｂが後方へ傾斜してなる構成。
【００２２】
そしてこの構成により、前記前壁部を前方側へ突き出さなくても植栽用空間を充分確保できるとともに、傾斜地への施工時に全部の法面ブロックのうちの一部にのみ適用することもでき、更に同列での配置或いは１／２ずつずれた配置も可能になる。
【００２３】
またその植栽用法面ブロックを護岸用として使用したとしても、前記前壁部は本体部前方側表面より前方へ突き出ていないとともに、平坦形状であるため、たとえ前記左右の側壁部のため多少の水の抵抗等が生じるとしても前記従来例１のブロックに比べて僅かであるため、護岸用法面ブロックとしての本来の機能を損なうことはない。
【００２４】
更に、この植栽用法面ブロックを上下に積み重ねた場合本体部の前方側表面は略平坦であるため、凹陥部の上面開口部はその上段に載るブロックの底面によって覆われることになり、地上に露出する地表面積は少なくなるといえども、地中の植栽空間の容積は大きくでき、更にその形状も底面をより広くすることができ、保水能力は高まり、根ぐされ等を引き起こすことなく充分な水分等の吸収ができ植物の成長を促進するとともに、前記凹陥部に直接太陽の光が当たることはないので、その分水の蒸発が低減する。
更に、ブロックの上面に上段のブロックを据え付ける際、下段ブロック上面の係合凸部に上段ブロック下面の係合凹部を落とし込むだけで上段のブロックが後方へずれることなく自立する。
【００２５】
請求項２に係る発明では、係合凸部ないし係合凹部を本体部の左右側端部から略１／４の位置に設けた構成。そしてこの構成により、法面ブロックを積み重ねた場合、同列の配置及び１／２ずつずれた配置が可能になる。
【００２７】
請求項３に係る発明では、植栽用空間を略同一深さの有底面を有するものとした構成。そしてこの構成により、該植栽用空間の深さをできるだけ深く形成でき、その植栽空間を広く採ることができるとともに、その底面は有底であるため、その植栽空間から土ならびに水が排出することがなく長期間水が保水される。
【００２８】
請求項４に係る発明では、左右の側壁部の外周を略円弧状にした構成。そしてこの構成により、人が該植栽用法面ブロックを見た場合、その角が丸みを帯びているためソフトの感じを与えるとともに、護岸用としての使用で、且つ設置する全部の法面ブロックの一部にこの植栽用のものを所定間隔毎に設けるような場合においては、前記前壁部が平坦形状であることと相まって水の抵抗は更に低減し、流木等が引っかかる恐れも少なくなり、護岸用としての本来の機能をより確実に達成する。
【００２９】
請求項５に係る発明では、植栽用空間に保水物質を設けた構成。そしてこの構成により、たとえ前記植栽用空間が有底面を有しないもの（その場合にはその空間の底部に網等があり、土等の排出を防止している。）であっても、導入された雨水等を長期に亘って保水することができる。
【００３０】
請求項６に係る発明では、凹陥部の上面開口部に蓋を設けた構成。そしてこの構成により、側面凹部を有する植栽用法面ブロックを使用して上下段のブロックを横に１／２ずらして載置したとしても、隣り合う側面凹部間に流し込むコンクリートがその下段ブロックの凹陥部に流れ込むことはなくなる。
【００３１】
【発明の実施の形態】
（実施例１）
図１ないし図３は、本願発明の１実施例であり、図１は平面図、図２は側面図、図３は傾斜面施工後の側面図を示す。
【００３２】
本体部１は、図２に示すようにその側断面がどちらかというと平行四辺形に近い略矩形状を呈し、その前面の前方側表面２は略平坦で、その側面は大きく切り欠かれた側面凹部１３、ならびにその後面には側方に突き出た左右のフランジ１２，１２を有する。
【００３３】
また、その本体部上面５には、左右側端部から略１／４の位置にそれぞれ図１，図２に示すようなほぼ多角錘形状の同形の係合凸部７，７が配されるとともに、本体部下面６には、前記係合凸部７，７の位置の直下面に該係合凸部７，７と同形で若干大きな係合凹部８，８が穿孔されている。
【００３４】
そのため、ブロック施工時、下段のブロックの上方に上段ブロックを据え付ける際、下段ブロックと同列に上段ブロックを載置できることは勿論、下段ブロックより横に１／２ずれたとしても、下段ブロックの隣り合うブロックの１つずつの係合凸部７，７にその上段に載置する１つのブロックの本体部下面６に形成した２つの係合凹部８，８をそれぞれ係合することができるため、横に１／２ずつずれた据え付けも可能になる。
【００３５】
更に、前記係合凸部７，７は、ブロック設置後の形態が、その前方側面７ａが略垂直で後方側面７ｂが後方へ傾斜するように形成されており、ブロックの上面に上段のブロックを据え付ける際、下段ブロック上面の係合凸部７に上段ブロック下面の係合凹部８を落とし込むだけで上段のブロックが後方へずれることなく自立する。
【００３６】
即ち、上段のブロックはその下段のブロックよりその重心が後方にあるため後方へずれようとするが、下段ブロックの係合凸部７の略垂直な前方側面７ａが上段ブロックの係合凹部８の略垂直な前方側面に係合することになるため、上段のブロックを載置するだけで該上段ブロックが後方へ移動することがなくなり別途自立用サポート等が不要となり、簡単に所定の勾配が築造できる。
【００３７】
なお、前記係合凸部７及び係合凹部８は、取付位置が上下逆であっても良く、またその形状も下段のブロック上に上段ブロックを配置する場合、請求項１，２に係る発明では、少なくても上段ブロックが仮止めできるような形状であればどのような形状であっても良い。
【００３８】
一方、本体部１の前方側表面２には、その下端部から上方へ張り出して略平坦な前壁部３が一体的に形成されるとともに、該前壁部３と前記本体部１の前方側表面２との左右端部間には略三角形の左右側壁部４，４が同じく一体的に形成されており、前方側表面２と前壁部３と左右側壁部４，４との３者で断面略三角形の植栽用の前方側空間Ｋ１を形成している。
【００３９】
また、前記本体部１の中央部には、前方側表面２及び本体部上面５に開口し、上下方向に亘ってほぼ同一な幅で且つ前記前方側空間Ｋ１の最深部と同じ深さまで掘り下げられた後方側空間Ｋ２としての凹陥部９が形成され、前記前方側空間Ｋ１と前記後方側空間Ｋ２とで全植栽用空間を形成している。
【００４０】
なお、前記両空間Ｋ１、Ｋ２の形状は、図示し説明した形状に拘ることなく、またそれらそれぞれの深さも必ずしも同じでなくても良い。
【００４１】
次に１４，１５は、通水孔であり、雨水を前記植栽用空間Ｋ１、Ｋ２に取り入れるためのものであり、本体部１の両側部に設けた２つの通水孔１４，１４は前記前方側空間Ｋ１に連通し、その中央部に設けた通水孔１５は前記後方側空間Ｋ２に連通しているが、両側部の通水孔１４，１４、或いは中央の通水孔１５のみであっても良い。
【００４２】
また、前記前方側空間Ｋ１及び前記後方側空間Ｋ２には水を保水できる保水物質１１，１１を設けてある。この保水物質１１，１１は、例えば、現在衛生ナプキン或いは使い捨ておしめとして多用されているような吸水性のポリマーであればどのようなものでも良く、該保水物質１１，１１を土の下に予め入れておくことにより、導入した雨等の水を長期に亘って保水することができ、しばらく日照りが続いたとしても植物が枯れる恐れは少なくなる。
【００４３】
本願発明の植栽用法面ブロックの施工についてその概略を図３に基づいて説明すると、まず、ブロックを敷設する傾斜地１８をある程度平坦になるようにならし、その上に裏込用としての裏込採石１６を敷く。
【００４４】
次いで傾斜地１８下部の平坦部に基礎台２０を設置し、その基礎台２０の上部に１段目のブロックを横に並べて載せ、その後ブロックと前記裏込採石１６との間、更には隣り合うブロック間に形成される前記側面凹部１３、１３との間にそれぞれ裏込用及び胴込用としての裏込コンクリート１７及び胴込コンクリート１７ａを流し込んで固める。このように行うことにより本体部１のフランジ１２により、ブロックとコンクリートがより強力に結合される。なお、１９は通水管であり、その一方は傾斜地１８に、その他方は本体部１に形成される通水孔１４，１５に連通される。
【００４５】
そして１段目のブロックが配設されると、その上段に２段目のブロックを、下段ブロックの２つの係合凸部７，７にその上段ブロックの本体部下面６に形成した２つの係合凹部８，８をそれぞれ係合するように載置する。
【００４６】
その後、１段目の要領と同様に裏込コンクリート１７及び胴込コンクリート１７ａを流し込んで固め２段目を完了する。その手順を繰り返すことにより、全ブロックを配設する。なお、図３のものは全ブロックを植栽用のものとして示したが、一部だけでも良いことはいうまでもない。
【００４７】
また、植栽用空間に土を入れたり植物を植栽する中詰工の施工時期は、ブロック施工時でも良いが、発注形態、植栽時期或いはメンテナンス等の植栽の都合により、ブロック施工時にできない場合でもブロック両側面に打設したコンクリートが上下左右に一体化しているためブロック工事を中断することなく前記中詰工を省いてそのまま続行し、ブロック築造後に中詰工を施工することも可能である。
【００４８】
（実施例２）
図４は他の実施例の平面図であり、実施例１と比べ、側壁部の形状が異なり、他は実施例１と同様である。
【００４９】
即ち、その側壁部１０は円弧状になっている。このように円弧状にすることにより、人がその植栽用法面ブロックを見た場合、その角が丸みを帯びているためブロック全体の表面が滑らかに見え、ソフトの感じを与えるとともに、護岸用としての使用で、且つ設置する全法面ブロックの一部にこの植栽用のものを設けるような場合においては、前記前壁部３が平坦形状であることと相まって水の抵抗は更に低減し、流木等が引っかかる恐れも少なくなる。
【００５０】
（実施例３）
ところで本願発明の法面ブロックは、実施例１で側面凹部１３を有しているもの（必ずしも必要ではない。）として説明したが、このような植栽用法面ブロックを使用してブロック施工時に下段のブロックの上方に上段ブロックを横に１／２ずらして配置する場合、隣り合う側面凹部１３、１３間に胴込コンクリート１７ａを流し込むとその胴込コンクリート１７ａの一部が下段ブロックの凹陥部９に流れ込んでしまうため、その問題を解決するためのものである。
【００５１】
図５ないし図８はそのための実施例を示し、その特徴は、凹陥部９の上面開口部に蓋及び蓋の係止部を設けた点にあり、その他は実施例１と同様である。
【００５２】
即ち、図５は平面図を示し、凹陥部９の上面開口部を形成する３つの上方辺部２１ａ、２１ａ、２１ｂには、それぞれ蓋２３を係止するための係止部２１が形成される。この係止部２１は図７に示すように段部状からなり、該段部状の係止部２１に蓋２３を載置させることにより凹陥部９の上面開口部を閉蓋する。
【００５３】
そして前記蓋２３は、コンクリート製或いは鉄板等の平板体からなり、凹陥部９の上面開口部閉蓋時には本体部上面５とほぼ面一になるように設定されている。
【００５４】
また、図８は係止部２２をテーパ状としたものを示している。この場合には、該テーパ状の係止部２２に当接する蓋２３の部分も同じくテーパ状にしたものであり、このような形状にしても閉蓋可能であるとともに、むしろこのような形状の方が閉蓋時に蓋２３を係止部２２上に合わせて置かなくてもその重みで蓋２３が係止部２２上を滑り落ち所定位置への配置を容易に行うことができる。
【００５５】
なお、図５ないし図８としてブロック本体部とは別体の蓋について説明したが、上面開口部を閉鎖する蓋は、植栽用法面ブロック成形時に一体的に形成されるものでも良く、その場合には、係止部２１，２２は不要となる。
【００５６】
本願発明は、上記実施例の構成に限定されるものではなく、発明の要旨を逸脱しない範囲において適宜設計変更可能であることは勿論である。
【００５７】
【発明の効果】
請求項１に係る発明では、側断面が略矩形状で前方側表面が略平坦な本体部と、該前方側表面上にその下端部から上方へ張り出た略平坦な前壁部と、該前壁部と前記本体部の前方側表面との左右端部間に形成される略三角形の左右側壁部と、前記本体部上下面のそれぞれに左右に所定距離隔てて２つずつその上下面で対になるように配設された係合凸部ないし係合凹部と、前記本体部の中央部近傍に位置するとともに、その上面ならびに前方側表面に開口して形成される凹陥部とを有し、前記本体部の前方側表面、前壁部及び左右側壁部とで形成される空間と、前記凹陥部とで植栽用空間を形成し、前記係合凸部ないし係合凹部は、ブロック設置後においてその前方側面７ａが略垂直で後方側面７ｂが後方へ傾斜してなることにより、前記積み重ね本体部の前方側表面の張り出し壁部をあまり前方側へ張り出さなくても植栽用空間を充分確保できるため、ブロック製造用のコンクリート量を低減し、製造コストを低減することができる。
【００５８】
また、その植栽用法面ブロックを傾斜地への施工時に全部の法面ブロックのうちの一部にのみ適用することもでき、更に同列での配置或いは１／２ずつずれた配置も可能になるため、いろいろの法面ブロックの組み合わせが可能となり、融通性を高めることができる。
【００５９】
更に、その植栽用法面ブロックを護岸用として使用したとしても、前記張り出し壁部の前壁部は平坦形状であり、水の流れ等を妨げることがなく、護岸用としての本来の機能を損なうことはないため、該植栽用ブロックをその設置場所を気にすることなく設置することができる。
【００６０】
また更に、この植栽用法面ブロックを上下に積み重ねた場合本体部の前方側表面は略平坦であるため、凹陥部の上部開口はその上段に載るブロックの底面によって覆われることになり、地上に露出する地表面積は少なくなるといえども、地中の植栽空間の容積は大きくでき、更にその形状も底面をより広くすることができるため、保水能力は高まり、根ぐされ等を引き起こすことなく充分な水分等の吸収ができ植物の成長をより促進することができるとともに、凹陥部に直接太陽光が当たることはなく、その分水の蒸発が低減するため多少日照りが続いたとしても植物が枯れる恐れを少なくすることができる。
また更に、下段ブロック上面の係合凸部７に上段ブロック下面の係合凹部８を落とし込むだけで上段のブロックが後方へずれることなく自立させることができ、別途自立用サポート等が不要となり、簡単に所定の勾配が築造できるとともに、製造コストを低減することができる。
【００６１】
請求項２に係る発明では、法面ブロックを上下に積み重ねた場合、同列での配置及び１／２ずつずれた配置が可能になるため、施工時の融通性を高めることができる。
【００６３】
請求項３に係る発明では、植栽用空間を略同一深さの有底面にすることにより、該植栽用空間の深さを同時にできるだけ深く形成でき、その植栽空間を広く採ることができるとともに、その両底面は有底であるため、その植栽空間から土ならびに水が排出されなく植物に対し好条件を与えることができ、長期間に亘り植栽用としての機能を維持でき、環境保全ならびに自然保護に大いに貢献することができる。
【００６４】
請求項４に係る発明では、左右の側壁部の外周を略円弧状にすることにより、人が該ブロックを見た場合、その角が丸みを帯びているためソフトの感じを与え、見た感じを和らげることができる。
【００６５】
また、植栽用法面ブロックを護岸用としての使用で、且つ設置する全部の法面ブロックの一部にこの植栽用のものを所定間隔毎に設けるようにした場合には、前記張り出し壁部の前壁部が平坦形状であることと相まって水の抵抗を減らし、且つ流木等が引っかかりにくくなるため、例えば洪水時に、濁流ならびに流木等によりその張り出し壁部等が破損したり、あるいはそこに流木等が引っ掛かることに起因した堤防の決壊等の二次災害をより確実に防止することができる。
【００６６】
請求項５に係る発明では、植栽用空間に保水物質を設けることにより、植栽用空間に長期間に亘って水を蓄積することができ、たとえ炎天下にあったとしても水の蒸発を最小限に抑えることができるため、植物に対し好条件を与えることができ、長期間に亘り植栽用としての機能を維持でき、環境保全ならびに自然保護に大いに貢献することができる。
【００６７】
請求項６に係る発明では、凹陥部の上面開口部に蓋を設けることにより、側面凹部を有する植栽用法面ブロックを使用して上下段のブロックを横に１／２ずらして載置したとしても、隣り合う側面凹部間に流し込むコンクリートが下段ブロックの凹陥部に流れ込むことはなくなるため、法面ブロックの複数の配置を可能にすることができる。
【００６８】
また、蓋を法面ブロック成形時に一体的に形成することにより、蓋ならび係止部を設ける必要がなくなり、コストを低減することができる。
【図面の簡単な説明】
【図１】図１は、本願発明の植栽用法面ブロックの平面図。
【図２】図２は、本願発明の植栽用法面ブロックの側面図。
【図３】図３は、本願発明の植栽用法面ブロック施工後の側面図。
【図４】図４は、本願発明の植栽用法面ブロックの他の実施例の平面図。
【図５】図５は、本願発明の植栽用法面ブロックの更に他の実施例の平面図。
【図６】図６は、本願発明の植栽用法面ブロックの更に他の実施例の閉蓋時平面図。
【図７】図７は、図６のＡ−Ａ線断面図。
【図８】図８は、図６のＡ−Ａ線断面図の他の実施例。
【図９】図９は、従来例の植栽用法面ブロックの平面図。
【図１０】図１０は、従来例の植栽用法面ブロックの側面図。
【図１１】図１１は、従来例の植栽用法面ブロック施工後の平面図。
【図１２】図１２は、従来例の他の植栽用法面ブロックの平面図。
【図１３】図１３は、従来例の他の植栽用法面ブロックの側面図。
【図１４】図１４は、従来例の他の植栽用法面ブロック施工後の側面図。
【符号の説明】
１        本体部
２        前方側表面
３        前壁部
４        側壁部
５        本体部上面
６        本体部下面
７        係合凸部
８        係合凹部
９        凹陥部
１０      円弧状側壁部
１１      保水物質
１２      フランジ
１３      側面凹部
１４      側部通水孔
１５      中央通水孔
１６      裏込採石
１７      裏込コンクリート
１７ａ    裏込コンクリート
１８      傾斜地
２０      基礎台
２１      段部状係止部
２２      テーパ状係止部
２３      蓋
Ｋ１      前方側空間
Ｋ２      後方側空間
【図１】
0004027028.tif 000002
【図２】
0004027028.tif 000003
【図３】
0004027028.tif 000004
【図４】
0004027028.tif 000005
【図５】
0004027028.tif 000006
【図６】
0004027028.tif 000007
【図７】
0004027028.tif 000008
【図８】
0004027028.tif 000009
【図９】
0004027028.tif 000010
【図１０】
0004027028.tif 000011
【図１１】
0004027028.tif 000012
【図１２】
0004027028.tif 000013
【図１３】
0004027028.tif 000014
【図１４】
0004027028.tif 000015